(57)【要約】【課題】基板の抜き差しを行う場合、現状、シャーシの外側で行っていたため、シャーシの形状が複雑になっていた。又輸送時の基板の抜け止め防止のため、別部品で基板押さえを設ける必要があった。【解決手段】本発明では上記欠点を解決するため、シャーシに切り欠きを設け、カードプラには２つの爪部を設けることにより、基板抜き差し時のカードプラの動きをシャーシ内側で行うことにした。又カードプラに突起、基板にカードプラ回転軸用穴として長穴を設けることにより、基板が実装された状態では、カードプラの突起がシャーシにぶつかることにより、カードプラの回転を止めるストッパーの機能を持たせることにより、別部品であった基板押さえを廃止した。【選択図】　　　図６
2004047679.tif 000002
【特許請求の範囲】
【請求項１】
カードプラにおいて、基板下部のカードプラ回転軸を通す穴を長穴に、前記カードプラに突起を設けることにより前記基板に抜け防止機能を備えたことを特徴とするカードプラ。
【発明の詳細な説明】
【０００１】
【発明の属する技術分野】
本発明は基板が実装される電子機器ユニットにおいて、基板を抜き差しするためのカードプラに関するものである。
【０００２】
【従来の技術】
従来のカードプラの技術を図８〜１０に示す。
【０００３】
筐体１３には、シャーシ８が実装されている。シャーシ８には電子機器部品を実装した基板５が挿入されている。基板５の上下には、それぞれカードプラ１が取り付けられている。
【０００４】
カードプラ１裏面には、図４に示すような溝４が設けてある。カードプラ１には、基板５と連結するためのピン６を通すための穴７（図２記載）が設けてある。カードプラ１先端部１４は円形状となっている。
【０００５】
基板５にはカードプラ１と連結するためのピン６が通る穴が上下にそれぞれ設けてある。
【０００６】
シャーシ８は基板５抜き差し時にカードプラ１と接触するために、折り返し１５が設けてある。
【０００７】
基板をシャーシに挿入する手順について説明する。
基板５をシャーシ８に挿入する。基板５のコネクタ（雄）がバックボードのコネクタ（雌）に挿入される時、基板５を押す力よりコネクタの嵌合力が大きいためこれ以上挿入することができない。この状態で更にコネクタの嵌合力より大きい力を、カードプラ１に加えることにより、基板５のコネクタ（雄）がバックボードのコネクタ（メス）に挿入され嵌合する。
【０００８】
筐体の輸送時に基板が抜ける方向に力が加わった時を考える。
筐体１３を輸送する時、基板５が抜ける方向に力が加わった時、カードプラ１は基板５から離れる方向に回転する。この結果、カードプラ１先端部１４がシャーシの折り返し１５に接触する。更に力が加わると、カードプラ１先端部１４が回転し基板５が外れる方向に力が発生する。カードプラ１の回転によって発生する力がコネクタの嵌合力より大きくなった場合、基板５がバックボードより外れる。振動により基板５がバックボードより抜けない様にするために、基板押さえ１６を別に設けていた。
【０００９】
次に基板をシャーシから取り外す手順について説明する。
最初に基板押さえ１６を取り外す。カードプラ１を基板５から離れる方向に回転させる。カードプラ１先端部１４がシャーシの折り返し１５に接触する。更に回転させると、カードプラ１先端部１４が回転し、基板５の引き抜き力がコネクタの嵌合力より大きくなり基板５のコネクタ（雄）がバックボードのコネクタ（雌）から外れ基板５を引き抜くことができる。
【００１０】
【発明が解決しようとする課題】
前記従来技術には、カードプラにストッパー機能がないために、別部品で基板の抜け止め用のストッパーを設ける必要がある。
【００１１】
【課題を解決するための手段】
本発明では、カードプラに突起、基板下部にカードプラ回転軸用穴として長穴を設けた。その結果、シャーシに基板を実装した状態で、カードプラが長穴の下の位置に移動することによりカードプラの突起にストッパーの機能を持たせることができる。
【００１２】
【発明の実施の形態】
以下、本発明の一実施例を図１〜６により説明する。
【００１３】
カードプラ１の先端部２は円形状となっている。カードプラ１の先端部２の付近には突起３が設けてある。カードプラ１の裏面には溝４が設けてある。カードプラ１には基板５と連結するためのピン６を通すための穴７が設けてある。
【００１４】
シャーシ８にはカードプラ１の先端部２が通過する切り欠き９がそれぞれに設けられている。更にシャーシ８にはカードプラ１の先端部２が接触する立ち上がり１０が設けられている。
【００１５】
基板５上部には、カードプラ１と連結するためのピン６が通る穴が設けてある。基板５下部には、カードプラ１と連結するためのピン６が通る長穴１２が設けてある。
【００１６】
基板をシャーシに挿入する手順について説明する。
基板５をシャーシ８に挿入していくとまず、カードプラ１の先端部２がシャーシ８の切り欠き９間の長さよりカードプラ１間の長さが長いためこれ以上前記基板５を挿入することができない。この状態でカードプラ１をそれぞれ基板５から離れる方向に回転させると、切り欠き間９の長さがカードプラ１間の長さより長くなるため基板５が更にシャーシ８側に挿入することができる。更にカードプラ１を基板５に近づく方向に回転させる。まずカードプラ１先端の先端部２の部分がシャーシ８内側に接触する。更に回転させると、接触部となるカードプラ１の先端部２が円形状のため、更にカードプラ１が回転しシャーシ８に更に挿入され基板５のコネクタがバックボードのコネクタに挿入され嵌合する。カードプラ１から手を離すと、基板５に設けた長穴１２の下の位置までカードプラ１が移動し、カードプラ１に設けた突起３がストッパーの役割を果たす。
【００１７】
次に基板をシャーシから取り外す手順について説明する
基板５下側に取り付けられたカードプラ１を基板５の長穴１２上部の位置まで移動させる。この状態でカードプラ１を基板７から離れる方向に回転させる。前記カードプラ１の先端部２がシャーシ８の立ち上がり部に接触する。更に回転させると円形状のため、更にカードプラ１が回転する。この結果、カードプラ１の回転力がコネクタの嵌合力より大きくなり、基板５のコネクタがバックボードのコネクタから外れることにより、基板５を取り外すことができる。
【００１８】
ストッパー機能について説明する。
筐体１３を輸送時に基板５が抜ける方向に力が加わった時を考える。カードプラ１が基板５から離れる方向に回転しようとした時に、まずカードプラ１に設けた突起３がシャーシ８にぶつかる。このため、この状態よりさらに基板５が抜ける方向にカードプラ１が回転することができないため、基板５のコネクタがバックボードのコネクタから外れることはない。
【００１９】
【発明の効果】
シャーシに切り欠きを設けることにより、基板挿入時のカードプラ先端の動きをシャーシ内部にて行えるようにした。この結果、複雑であったシャーシ形状を簡単にすることができた。
【００２０】
更にカードプラにストッパー機能を持たせることにより、従来は別部品であった基板の抜け止めストッパーを廃止することができた。この結果、従来に比べシャーシの奥行き方向のスペースを小さくすることができた。
【図面の簡単な説明】
【図１】本実施例の詳細図。
【図２】本実施例の詳細図。
【図３】カードプラ斜視図。
【図４】カードプラ斜視図。
【図５】本実施例の詳細図。
【図６】実施例の詳細図。
【図７】本実施例の詳細図。
【図８】筐体斜視図。
【図９】従来技術の詳細図。
【図１０】従来技術の詳細図。
【符号の説明】
１：カードプラ　２：先端部（カードプラ）　３：突起（カードプラ）　４：溝（カードプラ）　５：基板　６：ピン　７：穴（カードプラ）　８：シャーシ９：切り欠き（シャーシ）　１０：立ち上がり（シャーシ）　１２：長穴（基板下部）　１３：筐体　１４：先端部（カードプラ）　１５：折り返し（シャーシ）　１６：基板押さえ。
【図１】
2004047679.tif 000003
【図２】
2004047679.tif 000004
【図３】
2004047679.tif 000005
【図４】
2004047679.tif 000006
【図５】
2004047679.tif 000007
【図６】
2004047679.tif 000008
【図７】
2004047679.tif 000009
【図８】
2004047679.tif 000010
【図９】
2004047679.tif 000011
【図１０】
2004047679.tif 000012